(57)【要約】【課題】種々の径のパイプを円形の切断面を保持した状態で良好に切断し得るパイプカッターを提供すること。【解決手段】支点軸１により交差開閉可能に枢着された一対のレバー２，３と、一対のレバー２，３のうちの一方のレバー２の前端に設けられた切断刃４と、他方のレバー３の前端に前後方向へ移動可能でかつ任意の位置で固定可能に装着された可動ブロック５とを備え、前記可動ブロック５の上面には第１のパイプ受け部６を設け、前記可動ブロック５の後端面５ａ又は下面５ｂと前記他方のレバー３の前端面３ａとの間に第２のパイプ受け部７を形成し、該第２のパイプ受け部７は、切断すべきパイプ径に合わせて前記可動ブロック５を前方に移動させることによってパイプ挟持幅が変更可能とされている。【選択図】図１
2007054391.tif 000002
【特許請求の範囲】
【請求項１】
支点軸（１）により交差開閉可能に枢着された一対のレバー（２）（３）と、一対のレバー（２）（３）のうちの一方のレバー（２）の前端に設けられた切断刃（４）と、他方のレバー（３）の前端に前後方向へ移動可能でかつ任意の位置で固定可能に装着された可動ブロック（５）とを備え、
前記可動ブロック（５）の上面には第１のパイプ受け部（６）を設け、前記可動ブロック（５）の後端面（５ａ）又は下面（５ｂ）と前記他方のレバー（３）の前端面（３ａ）との間に第２のパイプ受け部（７）を形成し、
該第２のパイプ受け部（７）は、切断すべきパイプ径に合わせて前記可動ブロック（５）を前方に移動させることによってパイプ挟持幅が変更可能とされていることを特徴とするパイプカッター。
【請求項２】
前記可動ブロック（５）は、前記他方のレバー（３）に対して前後方向にスライド移動可能又は回転移動可能に装着されていることを特徴とする請求項１に記載のパイプカッター。
【発明の詳細な説明】
【技術分野】
【０００１】
本発明は、樹脂製パイプ等の切断に用いることができるパイプカッターに関するものである。
【背景技術】
【０００２】
従来、支点軸により交差開閉可能に枢着された一対のレバーと、一対のレバーのうちの一方のレバーの前端に設けられた切断刃と、他方のレバーの前端に設けられたパイプ受け部とからなり、一対のレバーの後端を閉方向に操作することによって切断刃とパイプ受け部との間でパイプを切断する方式のパイプカッターは、公知である（例えば、特許文献１参照）。
【特許文献１】特開２００５−１１８２５３号公報
【発明の開示】
【発明が解決しようとする課題】
【０００３】
しかしながら、従来のパイプカッターは、パイプ受け部に形成された凹溝に適合するパイプを切断する場合には、問題はないが、該凹溝に適合しないパイプを切断する場合には、当該パイプが切断刃の押圧力によって楕円形に変形し、切断刃の切断力をパイプの切断に有効に利用できない不具合がある。また、楕円形に変形したパイプを切断刃でさらに押圧してカットすると、カット後のパイプが扁平状態に変形して切り口付近に割れや亀裂を誘発する不具合もある。
本発明は、従来のパイプカッターの上記不具合点に鑑みて開発されたもので、その目的とするところは、種々の径のパイプを円形の切断面を保持させた状態で良好に切断することができるパイプカッターを提供することにある。
【課題を解決するための手段】
【０００４】
前記目的を達成するために本発明は、支点軸により交差開閉可能に枢着された一対のレバーと、一対のレバーのうちの一方のレバーの前端に設けられた切断刃と、他方のレバーの前端に前後方向へ移動可能でかつ任意の位置で固定可能に装着された可動ブロックとを備え、
前記可動ブロックの上面には第１のパイプ受け部を設け、前記可動ブロックの後端面又は下面と前記他方のレバーの前端面との間に第２のパイプ受け部を形成し、
該第２のパイプ受け部は、切断すべきパイプ径に合わせて前記可動ブロックを前方に移動させることによってパイプ挟持幅が変更可能とされていることを特徴としている。
【０００５】
上記構成によれば、第１のパイプ受け部に適合するパイプは該第１のパイプ受け部で切断し、第１のパイプ受け部に適合しないパイプは第２のパイプ受け部で切断するもので、この第２のパイプ受け部は、切断すべきパイプ径に合わせて溝幅が変更可能であるため、種々の径のパイプを円形の切断面を保持させた状態で良好に切断することができる。なお、第１のパイプ受け部は、使用頻度の高いパイプ径に適合したパイプ受け凹溝を形成しておくのが好ましい。
また、前記可動ブロックは、前記他方のレバーに対して前後方向にスライド移動可能又は回転移動可能に装着されていることを特徴としている。
【０００６】
上記構成によれば、従来のパイプカッターの構成に対して簡単な構成を追加するだけでよく、容易に実施することができ、全体の構成がシンプルなものとなる。
【発明の効果】
【０００７】
本発明によれば、種々の径のパイプを円形の切断面を保持させた状態で良好に切断し得るパイプカッターを提供することができる。
【発明を実施するための最良の形態】
【０００８】
以下、本発明に係るパイプカッターの実施の形態を図面に基づいて説明する。
本発明のパイプカッターの第１の実施形態は、図１〜図５に示すように、支点軸１により交差開閉可能に枢着された一対のレバー２，３と、一対のレバー２，３のうちの一方のレバー２の前端に設けられた切断刃４と、他方のレバー３の前端に前後方向へスライド可能でかつ任意の位置で固定可能とされた可動ブロック５とを備えている。
可動ブロック５の上面には、第１のパイプ受け部６が設けられており、また、可動ブロック５の後端面５ａと前記他方のレバー３の前端面３ａとの間には第２のパイプ受け部７が形成されている。上記可動ブロック５の後端面５ａと前記他方のレバー３の前端面３ａとは、互いに平行な平面とされ、この平面は、前後方向に直交する面とされている。
【０００９】
第１のパイプ受け部６は、上向きに開放した円弧状凹溝が複数形成されるもので、各円弧状凹溝は、互いに異なる径として形成されており、例えば、図１，図２に示すように、小径パイプに対応した小径パイプ用円弧状凹溝６ａと大径パイプに対応した大径パイプ用円弧状凹溝６ｂとを、小径のものを下側とし、大径のものを上側として形成されている。これらの円弧状凹溝６ａ、６ｂは、前記切断刃４による下向きの押圧力で被切断パイプが楕円形に変形することを防止して前記変形応力を切断応力に有効に変換させるために、被切断パイプの略半周分を拘束支持し得る程度の円弧形状とされている。
【００１０】
第２のパイプ受け部７は、切断すべきパイプ径に合わせて前記可動ブロック５を前方に引き出すことによってパイプ挟持幅が変更可能とされている。
前記他方のレバー３の前端面３ａには、前方に延びるスライドガイド８が設けられ、前記可動ブロック５には、該スライドガイド８に嵌合するスライド溝９が設けられている（図５参照）。
上記スライドガイド８の上面は、前記第２のパイプ受け部７の底面とされていると共に、このスライドガイド８の上面とこれに続くスライドガイド８の基端面との隅角部８ａは緩やかに連続した円弧形状面とされている。
【００１１】
第２のパイプ受け部７は、被切断パイプＡの下面を上記スライドガイド８の上面で支持し、被切断パイプの前後面を前記可動ブロック５の後端面５ａと他方のレバー３の前端面３ａとで挟持する構成、即ち、被切断パイプＡの略下半周分を拘束支持する上方が開放した凹溝構成とされている。この構成によって、第２のパイプ受け部７に支持された被切断パイプＡは、前記切断刃４による切断時、前記切断刃４による下向きの押圧力で被切断パイプＡが楕円形に変形することを防止して前記変形応力を切断応力に有効に変換させ、種々の径のパイプＡを円形の切断面を保持させた状態で良好に切断できるようにしている。
【００１２】
可動ブロック５の横幅方向中央部には、図５に示すように、切断刃４が通過するスリット１０が上面からスライド溝９に至るまで形成されており、このスリット１０は、可動ブロック５の前後方向の全長に亘って形成されている。また、スライドガイド８の上面にも切断刃４の受け溝１１が前後方向の全長に亘って形成されている。
スライドガイド８の側面には、前後方向に延びる長孔１２が形成されており、この長孔１２に係合するピン１３が可動ブロック５の側面に挿通されている。可動ブロック５の下面には、固定用ねじ１４のねじ孔１５が形成され、このねじ孔１５に固定用ねじ１４がねじ込まれている。このねじ孔１５は、可動ブロック５のスライド溝９に開口しており、固定用ねじ１４の上端をスライドガイド８の下面に圧接することによって、可動ブロック５をスライドガイド８に対して任意の位置で位置決め固定し得るように構成されている。
【００１３】
可動ブロック５が装着される側のレバー３は、図５に示すように、支点軸挿通孔１６の付近において上下方向に開口する窓孔１７が形成されており、この窓孔１７に切断刃４を装着した側のレバー２の先端部２ａが挿入されて支点軸１によりレバー３に交差開閉可能に枢着される。窓孔１７の前壁中央部には、切断刃４を挿通するスリット１８が形成されている。
レバー２の先端部２ａは、図５に示すように、ブロック形状とされ、このブロック形状の先端部２ａには、切断刃４を装着するためのスリット２ｂが横幅方向の中央部に形成されている。このスリット２ｂは前方及び下方に向けて開口し、かつ、切断刃４の肉厚より僅かに大きい幅で形成されている。切断刃４は、上記スリット２ｂに挿入され、支点軸１と、この支点軸１の回り２点で取付ねじ１９により着脱交換可能に装着される。レバー２の先端部２ａには、支点軸挿通孔２０と、取付ねじ孔２１とが形成されている。
【００１４】
切断刃４は、図５に示すように、支点軸挿通孔２２とねじ挿通孔２３とが前後方向の両端付近の位置に対称的に形成されており、前後方向を変換して２倍の寿命で使用できるように構成されている。
レバー２の途中には、開放用ばね２４が支持ピン２５と押さえピン２６によって設置され、また、このレバー２の後端付近には、閉状態保持のための係止フック部材２７が設置され、これに対応する係止ピン２８が他方のレバー３の後端付近に設置されている。
本発明の第１の実施形態に係るパイプカッターは、以上の構成からなり、次にその動作を説明する。
【００１５】
本発明の第１の実施形態に係るパイプカッターは、第１のパイプ受け部６に適合するパイプを切断する場合には、図２に示すように、可動ブロック５の後端面５ａを他方のレバー３の前端面３ａに当接せるまで押し込んで固定用ねじ１４によりスライドガイド８に固定しておき、該第１のパイプ受け部６に被切断パイプＡを嵌め込み、この状態で一対のレバー２，３を閉方向に操作して切断刃４で切断する。
そして、第１のパイプ受け部６に適合しないパイプは第２のパイプ受け部７で切断するもので、この第２のパイプ受け部７は、図１に示すように、固定用ねじ１４を緩めて可動ブロック５を他方のレバー３の前方に引き出すことにより、切断すべきパイプ径に合わせて溝幅が変更可能であるため、種々の径のパイプを円形の切断面を保持させた状態で良好に切断することができる。なお、第１のパイプ受け部６は、使用頻度の高いパイプ径に適合したパイプ受け凹溝を形成しておけば、便利である。
【００１６】
本発明の第１の実施形態に係るパイプカッターによれば、被切断パイプＡは、第１のパイプ受け部６又は第２のパイプ受け部７によって、略半周分を拘束状態で保持されるため、切断刃４による切断時、楕円形に変形することが防止され、円形を保持した状態で切断され、良好な切断面が得られる。切断刃４は、切れ味が低下してくると、前後反転させて付け替えることにより、使用寿命が２倍となる。
図６は、本発明の第２の実施形態に係るパイプカッターの側面図であって、前記可動ブロック５の前端下部を他方のレバー３の前端から前方に延びるスライドガイド８の前端にピン２９を介して前後方向に回転移動可能に装着して、可動ブロック５の下面５ｂと他方のレバー３の前端面３ａとの間に第２のパイプ受け部７を形成させるようにしたものである。この場合、可動ブロック５に設けるスライド溝９は下方に開放させたものとする。第２の実施形態における他の構成は、前記第１の実施形態と同一であり、第１の実施形態と同一部材には同一符号を付してその説明を省略する。
【００１７】
図７及び図８は本発明の第３の実施形態に係るパイプカッターの側面図であって、前記可動ブロック５の後端下部を他方のレバー３の前端下部にピン３０を介して前後方向に回転移動可能に装着して、可動ブロック５の後端面５ａと他方のレバー３の前端面３ａとの間に第２のパイプ受け部７を形成させるようにしたものである。この場合、スライドガイド８及びスライド溝９は省略してもよい。第３の実施形態における他の構成は、前記第１の実施形態と同一であり、第１の実施形態と同一部材には同一符号を付してその説明を省略する。
【００１８】
本発明に係るパイプカッターの第１〜第３の実施形態は、以上からなるが、本発明は、これらの実施形態にのみ制約されるものではなく、特許請求の範囲に記載した範囲内で自由に変更して実施することができる。例えば、第１の実施形態におけるスライドガイド８は、レバー３の前端部に前方に向けて延設した場合を例示したが、可動ブロック５の後端部に後方に向けて延設してもよい。この場合、スライド溝９は、レバー３の前端部から後方に向けて形成され、その際、円弧形状の隅角部８ａは、可動ブロック５の後端面側に形成される。また、第２の実施形態及び第３の実施形態における可動ブロック５を任意の回転角度位置で固定させるには、ピン２９，３０をロールピンで構成して摩擦力を持たせたり、ボルト・ナットで締め付けるように構成してもよい。
【図面の簡単な説明】
【００１９】
【図１】本発明の第１の実施形態に係るパイプカッターの側面図である。
【図２】本発明の第１の実施形態に係るパイプカッターの別の状態の側面図である。
【図３】図２のパイプカッターの縦断側面図である。
【図４】図１のパイプカッターの縦断側面図である。
【図５】本発明の第１の実施形態に係るパイプカッターの要部分解斜視図である。
【図６】本発明の第２に実施形態に係るパイプカッターの側面図である。
【図７】本発明の第３の実施形態に係るパイプカッターの要部側面図である。
【図８】本発明の第３の実施形態のパイプカッターの別の状態の要部側面図である。
【符号の説明】
【００２０】
１    支点軸
２    レバー
３    レバー
４    切断刃
５    可動ブロック
６    第１のパイプ受け部
７    第２のパイプ受け部
８    スライドガイド
９    スライド溝
【図１】
2007054391.tif 000003
【図２】
2007054391.tif 000004
【図３】
2007054391.tif 000005
【図４】
2007054391.tif 000006
【図５】
2007054391.tif 000007
【図６】
2007054391.tif 000008
【図７】
2007054391.tif 000009
【図８】
2007054391.tif 000010